(57)【要約】【課題】さらなる軽量化を実現することができる超低温容器を提供する。【解決手段】金属板同士が溶接されてなる超低温容器であって、上記金属板が、日本工業規格（ＪＩＳ）Ｇ４３０４またはＧ４３０５（１９９９年）で規定されている材料ＳＵＳ３０４Ｎ２からなり、上記溶接が、ステンレス協会規格（ＳＡＳ）５２１（１９９１年）で規定されている溶接材料ＡＤ３１６ＬＮ，ＡＹ３１６ＬＮ，ＡＹＦ３１６ＬＮもしくはＡＳ３１６ＬＮからなる溶接ワイヤまたは溶接棒を用いて行われるＴＩＧ溶接である。【選択図】なし【特許請求の範囲】
【請求項１】
金属板同士が溶接されてなる超低温容器であって、上記金属板が、下記の（Ａ）または（Ｂ）からなり、上記溶接が、下記の（ａ）からなる溶接ワイヤまたは溶接棒を用いて行われるＴＩＧ溶接であることを特徴とする超低温容器。
（Ａ）日本工業規格（ＪＩＳ）Ｇ４３０４（１９９９年）で規定されている材料ＳＵＳ３０４Ｎ２。
（Ｂ）日本工業規格（ＪＩＳ）Ｇ４３０５（１９９９年）で規定されている材料ＳＵＳ３０４Ｎ２。
（ａ）ステンレス協会規格（ＳＡＳ）５２１（１９９１年）で規定されている溶接材料ＡＤ３１６ＬＮ，ＡＹ３１６ＬＮ，ＡＹＦ３１６ＬＮもしくはＡＳ３１６ＬＮ。
【発明の詳細な説明】
【技術分野】
【０００１】
本発明は、液化窒素等の液化ガスを収容する超低温容器に関するものである。
【背景技術】
【０００２】
一般に、液化窒素，液化酸素，液化天然ガス等の液化ガスを収容する超低温容器は、真空断熱空間を介して外殻に包囲されている。このような二重殻タンクには、地面上に固定され貯槽として用いられるタイプのものと、トレーラ上やコンテナ内に固定され輸送手段として用いられるタイプのものとがある。
【０００３】
特に、上記輸送タイプのものに対しては、輸送する液化ガスの重量を増加させ、輸送効率を向上させることが望まれている。しかしながら、トラックや列車による輸送では、積載重量に規制があるため、単に超低温容器を大きくすることはできない。そこで、本出願人は、上記二重殻タンクの真空断熱空間部分を軽量化し、輸送する液化ガスの重量を増加させたものを提案し出願している（特許文献１参照）。
【特許文献１】特開平８−３１２８７９号公報
【発明の開示】
【発明が解決しようとする課題】
【０００４】
しかしながら、さらなる輸送効率の向上が望まれており、そのためには、上記二重殻タンクをさらに軽量化することが必要となる。
【０００５】
本発明は、このような事情に鑑みなされたもので、さらなる軽量化を実現することができる超低温容器の提供をその目的とする。
【課題を解決するための手段】
【０００６】
上記の目的を達成するため、本発明の超低温容器は、金属板同士が溶接されてなる超低温容器であって、上記金属板が、下記の（Ａ）または（Ｂ）からなり、上記溶接が、下記の（ａ）からなる溶接ワイヤまたは溶接棒を用いて行われるＴＩＧ溶接であるという構成をとる。
（Ａ）日本工業規格（ＪＩＳ）Ｇ４３０４（１９９９年）で規定されている材料ＳＵＳ３０４Ｎ２。
（Ｂ）日本工業規格（ＪＩＳ）Ｇ４３０５（１９９９年）で規定されている材料ＳＵＳ３０４Ｎ２。
（ａ）ステンレス協会規格（ＳＡＳ）５２１（１９９１年）で規定されている溶接材料ＡＤ３１６ＬＮ，ＡＹ３１６ＬＮ，ＡＹＦ３１６ＬＮもしくはＡＳ３１６ＬＮ。
【０００７】
本発明者らは、超低温容器をさらに軽量化すべく、超低温容器の材料について、鋭意研究を重ねた。しかしながら、液化ガスを収容する超低温容器については、それを構成する金属板の材料として使用できるものが高圧ガス保安法により定められており、しかも、その高圧ガス保安法には、具体的に、日本工業規格（ＪＩＳ）Ｇ４３０４，Ｇ４３０５で規定されているＳＵＳ３０４（以下、単に「ＳＵＳ３０４」と略す）等が列記されている。このため、その列記されている材料を使用することが常識となっており、それ以外の材料を選択することは困難であった。それでも、本発明者らは、さらに鋭意研究を重ね、その研究の過程で、上記常識に反して、高圧ガス保安法では列記されていない上記（Ａ）または（Ｂ）〔以下、上記（Ａ）または（Ｂ）の材料を、単に「ＳＵＳ３０４Ｎ２」と略す〕という材料の使用を考えた。このＳＵＳ３０４Ｎ２は、通常、水門戸あたりやクレーンのフック等に使用される材料であり、従来の超低温容器に使用される上記ＳＵＳ３０４と比較すると、引張強さが約３３％大きい〔日本工業規格（ＪＩＳ）Ｇ４３０４，Ｇ４３０５の規定では、上記ＳＵＳ３０４の引張強さが５２０Ｎ／ｍｍ2 以上であるのに対し、上記ＳＵＳ３０４Ｎ２のそれは６９０Ｎ／ｍｍ2 以上である〕。このため、上記金属板の材料としてＳＵＳ３０４Ｎ２を使用すると、金属板の厚みを薄くすることができ、その結果、超低温容器を軽量化することができる。しかしながら、その材料を低温環境下で使用する発想も使用実績もなかった。そこで、本発明者らは、上記ＳＵＳ３０４Ｎ２からなる金属板で超低温容器を作製し、さらに鋭意研究を重ねた。
【０００８】
一方、金属板を溶接する場合、その溶接に使用する溶接ワイヤまたは溶接棒の溶接材料は、通常、溶接する金属板の材料によって決まっている（推奨されている）。例えば、金属板の材料が上記ＳＵＳ３０４Ｎ２である場合は、溶接材料として、ステンレス協会規格（ＳＡＳ）５２１（１９９１年）で規定されているＡＤ３０８Ｎ２，ＡＹ３０８Ｎ２，ＡＹＦ３０８Ｎ２もしくはＡＳ３０８Ｎ２（以下、上記４つを、単に「３０８Ｎ２」と略す）を使用することが常識となっている。
【０００９】
このため、その常識に従って、上記ＳＵＳ３０４Ｎ２からなる金属板を用いた超低温容器の作製では、溶接材料として上記３０８Ｎ２を使用した。しかしながら、そのようにして作製された超低温容器では、高圧ガス保安法により要求される性能のうち、室温（２５℃）での溶接継手の引張試験および曲げ試験は満足するものの、−１５０℃以下での溶接継手の衝撃試験は満足しないことがわかった。
【００１０】
そこで、本発明者らは、さらに鋭意研究を重ねた。その結果、上記常識に反して、上記ＳＵＳ３０４Ｎ２からなる金属板に対する溶接材料として、使用が推奨されていない溶接材料である上記（ａ）〔以下、上記（ａ）のＡＤ３１６ＬＮ，ＡＹ３１６ＬＮ，ＡＹＦ３１６ＬＮもしくはＡＳ３１６ＬＮを、単に「３１６ＬＮ」と略す〕を使用し、溶接をＴＩＧ溶接により行うと、室温（２５℃）での溶接継手の引張試験および曲げ試験だけでなく、−１５０℃以下での溶接継手の衝撃試験も満足することを見出し、本発明に到達した。
【００１１】
このように、本発明の超低温容器では、常識に反する金属板材料および溶接材料を使用し、溶接をＴＩＧ溶接により行っている。すなわち、本発明の超低温容器では、超低温容器に使用することを通常発想しない材料ＳＵＳ３０４Ｎ２を金属板材料として使用しており、しかも、その材料ＳＵＳ３０４Ｎ２からなる金属板に対する溶接材料として使用することを通常発想しない溶接材料３１６ＬＮを溶接ワイヤまたは溶接棒の材料として使用しており、さらに、溶接をＴＩＧ溶接により行っている。
【発明の効果】
【００１２】
本発明の超低温容器は、金属板がＳＵＳ３０４Ｎ２からなり、その溶接材料として３１６ＬＮを使用し、溶接をＴＩＧ溶接により行っているため、超低温容器としての強度を保持しながらも、金属板の板厚を薄くすることかでき、それによって軽量化することができる。その結果、本発明の超低温容器を液化ガスの輸送に使用する場合には、収容する液化ガスの重量を増加させることができ、液化ガスの輸送効率を上昇させることができる。また、上記軽量化により、超低温容器の内容積を限られた重量の中で従来のものよりも大きくすることができ、これによっても、液化ガスの輸送効率を上昇させることができる。
【００１３】
特に、上記溶接をＴＩＧ溶接で行うと、溶接時に酸素の取り込みを少なくできるため、溶接継手部分の酸素含有量が少なくなっており、超低温容器は、低温じん性がより向上したものとなっている。
【発明を実施するための最良の形態】
【００１４】
つぎに、本発明の実施の形態を図面にもとづいて詳しく説明する。
【００１５】
図１は、本発明の超低温容器の一実施の形態を示している。この超低温容器は、金属板同士が溶接されてなる、液化窒素，液化酸素等の液化ガスを収容するためのものであり、上記金属板として、材料がＳＵＳ３０４Ｎ２からなるものを採用し、上記溶接に用いる溶接ワイヤまたは溶接棒として、溶接材料が３１６ＬＮからなるものを採用し、さらに、溶接方法として、ＴＩＧ溶接を採用している。そして、その超低温容器は、従来と同様に、真空断熱空間を介して外殻に包囲され、二重殻タンクとして、地面上，トレーラ上またはコンテナ内等に固定される。
【００１６】
より詳しく説明すると、上記超低温容器は、略筒状の胴体部１と、その胴体部１の両端開口を密閉する鏡板２とからなっている。そして、上記胴体部１は、例えば、つぎのようにして作製される。すなわち、まず、長方形金属板の長辺側を丸めて短辺同士を突き合わせ、その突き合わせ部分を、上記溶接材料３１６ＬＮを使用して溶接し（溶接線Ｌ1 参照）、軸方向の長さが短い筒状体１ａを作製する。ついで、その筒状体１ａを複数作製し、筒状体１ａの開口周縁同士を突き合わせ、その突き合わせ部分を上記と同様に溶接する（溶接線Ｌ2 参照）。このとき、短辺同士の溶接線Ｌ1 が、隣接し合う筒状体１ａ同士で一直線状にならないようにする。強度が低下するからである。そして、この筒状体１ａ同士の溶接を胴体部１の長さになるように繰り返す。このようにして、胴体部１が作製される。一方、上記鏡板２は、それぞれ、１枚の金属板を略半球殻状に形成することにより作製する。そして、胴体部１の両端の開口周縁と鏡板２の開口周縁とを突き合わせ、その突き合わせ部分を上記と同様に溶接する（溶接線Ｌ3 参照）。また、液化ガスを収容するための超低温容器として必要な、供給口，排出口，圧力調節弁等（図示せず）を適宜に設ける。このようにして、上記超低温容器が作製される。
【００１７】
つぎに、上記金属板の板厚について説明すると、高圧ガス保安法により、要求される板厚が規定されている。例えば、上記超低温容器の胴体部１の板厚は、下記の（１）式のように規定されている。
【００１８】
【数１】
2007298178.tif 000002
【００１９】
そして、上記（１）式を用いて、本発明の超低温容器のように金属板の材料としてＳＵＳ３０４Ｎ２を使用する場合と、従来の超低温容器のようにＳＵＳ３０４を使用する場合とで、下記の条件の下、胴体部１の最小板厚（ｔ）を計算すると、本発明の超低温容器における最小板厚ｔ1 は、ｔ1 ＝４．５５ｍｍとなり、従来の超低温容器における最小板厚ｔ2 は、ｔ2 ＝６．０６ｍｍとなる。この計算において、上記条件として、Ｄ＝２１００ｍｍ、ＳＵＳ３０４Ｎ２の引張強さ＝６９０Ｎ／ｍｍ2 、ＳＵＳ３０４の引張強さ＝５４０Ｎ／ｍｍ2 、安全率＝３．５、η＝１．０、Ｐ＝０．８５１３（＝０．７５＋０．１０１３）ＭＰａとした。
【００２０】
このように、本発明の超低温容器は、従来のものと比較すると、上記条件下では、胴体部１の最小板厚を、１．５１ｍｍ（約２５％）薄くすることができる。また、鏡板２についても同様に、板厚を薄くすることができる。その結果、本発明の超低温容器は、軽量化することができる。また、その軽量化により、超低温容器の内容積を、限られた重量の中で、従来のものよりも大きくすることができる。
【００２１】
そして、本発明の超低温容器は、引張強さ，曲げ強度および低温じん性にも優れており、高圧ガス保安法で規定される要求性能を満たす。このため、液化ガスを収容する超低温容器として用いることができる。
【００２２】
したがって、本発明の超低温容器を液化ガスの輸送に使用する場合には、輸送する液化ガスの重量を増加させることができ、さらなる輸送効率の向上を達成することができる。しかも、その輸送効率向上の結果、液化ガスの輸送回数を減少させることができるようになり、輸送コストの軽減，交通渋滞の解消，延いては地球温暖化の阻止に貢献することができるようになる。すなわち、本発明の超低温容器は、液化ガスの輸送に使用する場合、地球環境にやさしいといえる。
【図面の簡単な説明】
【００２３】
【図１】本発明の超低温容器の一実施の形態を示す、一部が破断した側面図である。
【図１】
2007298178.tif 000003